(57)【要約】【課題】本発明は、メモリーカード用コネクタに関し、極薄のメモリーカードを複数種類装着できるようにすることが課題である。【解決手段】２種類のメモリーカードを装着できるコネクタであって、挿入口２に設けられたシャッター４，５は、付勢手段３で常に閉蓋するように付勢され且つ内側に観音開きにされた右シャッター４と左シャッター５とで構成されており、前記左右のシャッターには、正面側壁面に前記２種類のメモリーカードのうち、厚みの薄い方のメモリーカードを下位置にガイドする傾斜ガイド面４ａ，５ａが形成されているとともに、該傾斜ガイド面の下位置に前記厚みの薄い方のメモリーカードの上面の位置を規制するカード押さえ面が形成されているメモリーカード用コネクタ１とする。【選択図】図１
2006040664.tif 000002
【特許請求の範囲】
【請求項１】
２種類のメモリーカードを装着できるコネクタであって、挿入口に設けられたシャッターは、付勢手段で常に閉蓋するように付勢され且つ内側に観音開きにされた右シャッターと左シャッターとで構成されており、
前記左右のシャッターには、正面側壁面に前記２種類のメモリーカードのうち、厚みの薄い方のメモリーカードを下位置にガイドする傾斜ガイド面が形成されているとともに、該傾斜ガイド面の下位置に前記厚みの薄い方のメモリーカードの上面の位置を規制するカード押さえ面が形成されていること、
を特徴とするメモリーカード用コネクタ。
【請求項２】
付勢手段で閉蓋方向に付勢される左右のシャッターにより、コネクタ内に挿入されたメモリーカードが脱着しないように挟装されていること、
を特徴とする請求項１に記載のメモリーカード用コネクタ。
【請求項３】
挿入口における左右端部の下部には、２種類のメモリーカードのうち、厚みの厚い方のメモリーカードの下面をガイドするガイド部が形成されていること、
を特徴とする請求項１または２に記載のメモリーカード用コネクタ。
【請求項４】
カードイジェクト機構におけるイジェクトバーは、２種類のメモリーカードに係合する第１係合バーと第２係合バーとから構成されており、厚みの薄い方のメモリーカードに係合する前記第１係合バーは、コネクタの奥行き方向で前記第２係合バーよりも手前側に配設されると共に厚みの厚いメモリーカードの下面の位置を規制していること、
を特徴とする請求項３に記載のメモリーカード用コネクタ。
【請求項５】
２種類のメモリーカードのうちの厚みが薄く奥行き寸法の短いメモリーカードの上面位置を規制するカード押さえ板が、揺動自在であって付勢手段によってカード挿入領域に出現するようにる配設されるとともに、厚みが厚く奥行き寸法の長いメモリーカードによってコネクタ側壁に向かって揺動されてカード挿入領域から退避されること、
を特徴とする請求項１乃至４のいずれかに記載のメモリーカード用コネクタ。
【発明の詳細な説明】
【技術分野】
【０００１】
本発明は、例えば、複数種類のメモリーカードを一つのコネクタで収納するメモリーカード用コネクタに関するものである。
【背景技術】
【０００２】
従来、例えば、パーソナルコンピュータや携帯電話、若しくは、電子辞書やＰＤＡ等に使用されるメモリーカードを、これらの電子機器に装着するための、機器筐体に備えられたメモリーカード用コネクタがある。そして、前記メモリーカードの需要が増大しその種類が増えるに従い、一つのメモリーカード用コネクタに２種類のメモリーカードを装着すするようになり、例えば、メモリーカードの形状が異なることを利用して、カード挿入ガイド溝を別々に用意するようにしたカード用コネクタ装置が知られている（特許文献１参照）。
【特許文献１】特開２００３−３１２８４号公報
【発明の開示】
【発明が解決しようとする課題】
【０００３】
しかし、当初のメモリーカード用コネクタでは、形状に大きな相違があり、収納場所の容量にも余裕があったが、電子機器の軽薄短小化が進行するにつれてメモリーカードを小さくして、厚みも薄くしなければならない。しかも、複数種類のメモリーカードを装備するために、単純に段積みしてコネクタを形成することは、電子機器の薄型化要請に反し、少しでもコネクタの厚さを薄くすることが望ましい。また、一つのカード用コネクタに、例えば、２種類のメモリーカードを装着する場合には、その挿入口から幅の狭い一方のメモリーカードを挿入できるので、そのカード種類を区別することが課題となる。
【０００４】
前記カード用コネクタの挿入口には、シャッターを備えるものが多く、当該シャッター機構において、カード種類を区別することがあるが、例えば、厚さの薄いメモリースティック（登録商標、形状：縦５０．０ｍｍ、横２１．５ｍｍ、厚さ２．８ｍｍ）と、これを更に小型化したメモリースティックＤｕｏ（登録商標、形状：縦３１．０ｍｍ、横２０．０ｍｍ、厚さ１．６ｍｍ）とを一つのカード用コネクタに装着させるコネクタは、そのシャッター構造が複雑となって部品点数が多くなり、部品費及び組立作業にコストが嵩むものとなっている。そこで、本発明に係るメモリカード用コネクタは、このような極薄のメモリーカードを装着させるシャッター構造において、部品点数を削減し低コストで達成するために提案されたものである。
【課題を解決するための手段】
【０００５】
本発明に係るメモリーカード用コネクタの上記課題を解決して目的を達成するための要旨は、 ２種類のメモリーカードを装着できるコネクタであって、挿入口に設けられたシャッターは、付勢手段で常に閉蓋するように付勢され且つ内側に観音開きにされた右シャッターと左シャッターとで構成されており、前記左右のシャッターには、正面側壁面に前記２種類のメモリーカードのうち、厚みの薄い方のメモリーカードを下位置にガイドする傾斜ガイド面が形成されているとともに、該傾斜ガイド面の下位置に前記厚みの薄い方のメモリーカードの上面の位置を規制するカード押さえ面が形成されていることである。
【０００６】
付勢手段で閉蓋方向に付勢される左右のシャッターにより、コネクタ内に挿入されたメモリーカードが脱着しないように挟装されていること、；
前記挿入口における左右端部の下部には、２種類のメモリーカードのうち、厚みの厚い方のメモリーカードの下面をガイドするガイド部が形成されていること、；
カードイジェクト機構におけるイジェクトバーは、２種類のメモリーカードに係合する第１係合バーと第２係合バーとから構成されており、厚みの薄い方のメモリーカードに係合する前記第１係合バーは、コネクタの奥行き方向で前記第２係合バーよりも手前側に配設されると共に厚みの厚いメモリーカードの下面の位置を規制していること、；
２種類のメモリーカードのうちの厚みが薄く奥行き寸法の短いメモリーカードの上面位置を規制するカード押さえ板が、揺動自在であって付勢手段によってカード挿入領域に出現するようにる配設されるとともに、厚みが厚く奥行き寸法の長いメモリーカードによってコネクタ側壁に向かって揺動されてカード挿入領域から退避されること、；
を含むものである。
【発明の効果】
【０００７】
本発明のメモリーカード用コネクタによれば、コネクタの挿入口にある左右のシャッターで、２種類のメモリーカードが上下に振り分けられるようになる。前記左右のシャッターにより、コネクタ内に装着されたメモリーカードを脱着しないように挟装作用をするので、別個の脱着防止装置を不要として、部品点数の削減に寄与している。
【０００８】
コネクタの挿入口におけるガイド部により、２種類のメモリーカードのうち、厚みの厚い方のメモリーカードの位置決めをするので、上下方向において他のメモリーカードの挿入領域に入り込むことが無く、天板との間で位置規制されるようになる。
イジェクトバーにおける第１係合バーが、厚みの厚いメモリーカードの下面の位置を規制しているので、前記ガイド部とともにこのメモリーカードの上下位置を規制することになり、当該メモリーカードが２箇所で支持され安定して挿入されるようになる。
【０００９】
カード押さえ板により、カード側のコンタクトと当接する複数個のコネクタ側のコンタクトによって生じる上方向の反力で持ち上げられるメモリーカードの上面位置を規制することができるようになり、メモリーカードとコンタクトとの接触状態が良好に維持される。
【発明を実施するための最良の形態】
【００１０】
本発明に係るメモリーカード用コネクタ１は、図１乃至図２に示すように、２種類のメモリーカード、例えば、メモリースティック（登録商標）とメモリースティックＤｕｏ（登録商標）とを装着できるコネクタであって、挿入口２に設けられたシャッターは、付勢手段であるトーションバネ３（右トーションバネ３ａ，左トーションバネ３ｂ）で常に閉蓋するように付勢され、且つ、内側に観音開きにされた右シャッター４と左シャッター５とで構成されている。
【００１１】
前記コネクタ１には、筐体となる合成樹脂製の絶縁ハウジング６と、シールド用の天板となるシェル７と、２種類のメモリーカードのコンタクトと当接すべくコネクタ１の奥行き方向に異なる位置に配設されるコンタクト８，９と、プッシュープッシュ式のイジェクト機構におけるイジェクトハウジング１０と、イジェクトピン１１と、イジェクト用バネ１２と、イジェクトバー１３とが設けられて、メモリーカード用コネクタ１が概ね構成されている。
【００１２】
前記左右のシャッター４，５は、対称形に形成されている。その形状においては、シャッター５で代表させて示す図３に示すように、正面側壁面に前記２種類のメモリーカードのうち、厚みの薄い方のメモリーカード（以下、第１カードという）を下位置にガイドする傾斜ガイド面５ａが形成されている。このガイド面５ａの傾斜方向は、挿入口２の上から下に行くに従って、後方に傾斜しているものである。
【００１３】
この傾斜ガイド面５ａ，４ａにより、カード先端部をこれに押し当てて挿入される前記第１カードが、挿入口２から中にはいるほど、次第に下位置にガイドされ、絶縁ハウジング６の底面に当接するようになるものである。
【００１４】
更に、前記傾斜ガイド面５ａの下位置に、前記第１カードの上面の位置を規制するカード押さえ面５ｂが形成されている。当該メモリーカードが前記傾斜ガイド面５ａで下位置にガイドされてきて、続いてこのカード押さえ面５ｂにより位置決めされるものである。
【００１５】
前記シャッター４，５には、上記の他、絶縁ハウジング６側に設けられた回転軸６ａに嵌合して支持される軸部４ｃ，５ｃと、トーションバネ用の軸部４ｄ，５ｄと、揺動するシャッターを支えるとともに抜け出しを防止する突起部４ｅ，５ｅとが設けられている。
【００１６】
前記左右のシャッター４，５により、コネクタ１に挿入されるメモリーカードの選択が行われると共に、付勢手段のトーションバネ３で閉蓋方向に付勢されてコネクタ１内に挿入されたメモリーカードが脱着しないように挟装されているものである。
【００１７】
コネクタ１の挿入口２における左右端部の下部には、図４に示すように、２種類のメモリーカードのうち、厚みの厚い方のメモリーカード（以下、第２カードという）の下面をガイドするガイド部６ｂが形成されている。これにより、前記第２カードが挿入口２に挿入されると、前記ガイド部６ｂの上に乗って水平移動し、天板７ａとの間に挟まれて、位置規制されるようになる。
【００１８】
また、前記ガイド部６ｂの側壁面６ｃが左右対向して、その間に第１カードが収まるようになる。この第１カードの方が第２カードよりも横幅が若干狭いからである。
【００１９】
前記コンタクト８，９は、このコネクタ１が実装されるプリント基板に半田付けされるものであり、メモリーカードのコンタクトと当接して電気的信号の接続を図るものである。コンタクト８，９は、絶縁ハウジングの所定の位置に圧入された後、キャリア部が切断される。
【００２０】
カードイジェクト機構におけるイジェクトバー１３は、図５に示すように、２種類のメモリーカードに係合する第１係合バー１３ａと第２係合バー１３ｂとから構成されており、第１カードに係合する前記第１係合バー１３ａは、コネクタの奥行き方向で前記第２係合バー１３ｂよりも手前側に配設されると共に、第２カードの下面の位置を規制している。
【００２１】
よって、前記第１係合バー１３ａにおける上面と、前記ガイド部６ｂと、絶縁ハウジング６の後方底面６ｄとによって、２種類のメモリーカードのうち、第２カードが、そのカード下位置を規制されるようになり、同時にそのカード上位置を天板７ａに規制されることで、安定した水平状態に維持されてコネクタ１内部に挿入されることになる。
【００２２】
このように、メモリーカード用コネクタ１に２種類のメモリーカードが装着されるわけであるが、図６に示すように、コネクタ１の挿入口２から見て、下段に第１カードが装着され、上段に第２カードが装着される。このメモリーカードの夫々の厚みがａとｂであるが、上下方向においてその厚みを重複させることで、コネクタ１の厚みを薄くしている。
【００２３】
例えば、メモリースティック（登録商標）とメモリースティックＤｕｏ（登録商標）とではその厚みが、ａ＝１．６ｍｍ、ｂ＝２．８ｍｍで単純に合計すると４．４ｍｍとなるが、コネクタ１では、３．６ｍｍ（０．８ｍｍが重複範囲）となっている。更に、図において、ａａが幅の狭い方の第１カードの幅で、ｂｂが幅の広い第２カード用の幅であって、ガイド部６ｂの側壁面６ｃと絶縁ハウジング６のに側壁とより規制されている。
【００２４】
このメモリーカード用コネクタ１に前記第１カードと第２カードとを装着させる様子を説明する。図７に示すように、厚みの薄いカードである第１カード１４の場合には、そのカード先端部がシャッター４，５に当たり、図８に示すように、トーションバネ３ａ，３ｂの付勢力に抗してコネクタ１内側に押し込むと、シャッター４，５がそれぞれ回転軸６ａを中心にして回転する。なお、図７（Ｃ）は、図５におけるＸ−Ｘ線に沿った視図を断面図にしたものである。
【００２５】
前記第１カード１４は、前記シャッター４，５を回転させて押し込むに従って、傾斜ガイド面４ａ，５ａの作用により次第に下位置に誘導され、やがて、カード押さえ面５ｂによってカード上面が摺接して位置規制される。
【００２６】
前記第１カード１４は、図９に示すように、上面を前記カード押さえ面５ｂに規制され、下面を絶縁ハウジング６の底面に規制され、ガイド部６ｂの側壁面６ｃによって左右方向が位置決めされて、挿入される。当該カード１４がコネクタ１の奥に進入すると、イジェクトレバー１３の第１係合バー１３ａに当接してこれをバネ１２の付勢力に抗して押し込み、イジェクトピン１１がカム溝の停止位置に係合してその位置で停止する。また、第１カード１４のコンタクトとコネクタ１側のコンタクト９とが接触して電気的接続がなされる。
【００２７】
また、シャッター４，５により、第１カード１４を左右から挟装することで、コネクタ１から抜け出さないようにされている。第１カード１４をコネクタ１から脱着させるには、プッシュープッシュ機構のイジェクト装置により、第１カード１４を更に後方に押し込んで、その後、押し込んだ手をコネクタ１から離すことで、バネ１２の付勢力でイジェクトバー１３を介して前方に当該第１カード１４が押し出される。
【００２８】
次に、第２カード１５の場合には、図１０に示すように、カード先端部がシャッター４，５に当接してその傾斜ガイド面４ａ，５ａに当接して下位置に誘導されるが、この第２カード１５の横幅が広いので、ガイド部６ｂ，６ｂの上に乗る。そして、カードの厚みが厚いので、この第２カード１５の上面が天板７ａに位置規制され、当該カード１５の下面が前記ガイド部６ｂの上面に位置規制される。
【００２９】
そして、図１１に示すように、シャッター４，５を押して内部に挿入されると、カード先端部の隅部の形状により、シャッター４は略９０度回転されて挿入領域から退避し、シャッター５はカード先端部の隅部が大きな円弧状となっているので、緩やかに回転する。図１２に示すように、更にカード１５が奥に挿入されると、シャッター４，５が完全に挿入領域から退避される。
【００３０】
そして、当該第２カード１５の下面が、第１係合バー１３ａにおける上面と、ガイド部６ｂの上面と、絶縁ハウジング６の後方底面６ｄとによって、規制される。その後、カード先端部がイジェクトバー１３の第２係合バー１３ｂを押し込んで、イジェクトピン１１がカム溝の停止位置に係合して停止する。また、第２カード１５のコンタクトとコネクタ１側のコンタクト８とが接触して電気的接続がなされる。
【００３１】
この第２カード１５をコネクタ１から脱着させるには、プッシュープッシュ機構のイジェクトにより、手で押し込めば、イジェクトバー１３及びバネ１２により前方に押し出される。
【００３２】
このように、メモリーカード用コネクタ１に、第１カード１４と第２カード１５との、厚みの異なる２種類のメモリーカードが、シャッター４，５によって選択的に挿入されるものである。
【００３３】
本発明の第２実施例に係るメモリーカード用コネクタ１ａは、図１３乃至図１４に示すように、厚さが薄く奥行き寸法の短い第１カード１４をコネクタ１ａ内に挿入した場合に、そのカード１４の先端部を、当接するコンタクト９の弾性力によって浮き上がらないように押さえる押さえ手段を設けたものである。
【００３４】
前記押さえ手段であるカード押さえ板１６は、２種類のメモリーカードのうちの厚みが薄く奥行き寸法の短いメモリーカードの上面位置を規制するもので、揺動自在であって付勢手段であるトーションバネ１７によってカード挿入領域に出現するようにる配設されるとともに、厚みが厚く奥行き寸法の長いメモリーカードによってコネクタ側壁に向かって揺動されてカード挿入領域から退避される。
【００３５】
前記カード押さえ板１６は、図１５に示すように、全体的に矩形状の棒体であり、底面１６ａが、前記第１カードの上面を押さえる位置規制面である。テーパ部１６ｂが誘導面となっている。符号１６ｃは、揺動回動用の軸受け部である。
【００３６】
これにより、第１カード１４が挿入された際には、このカードの先端部がカード押さえ板１６の下面をくぐり、前記底面１６ａによって、第１カード１４の浮き上がりが阻止される。また、第２カード１５が挿入された際には、このカード先端部に押されて、トーションバネ１７の付勢力に抗してカード押さえ板１６が時計方向に回転され、カード挿入領域から退避される。
【図面の簡単な説明】
【００３７】
【図１】本発明に係るメモリーカード用コネクタ１の分解斜視図である。
【図２】同本発明のメモリーカード用コネクタ１の、平面図（Ａ）、側面図（Ｂ）、底面図（Ｃ）、正面図（Ｄ）、背面図（Ｅ）である。
【図３】シャッター５の斜視図（Ａ）、同斜め下方向からの斜視図（Ｂ）である。
【図４】メモリーカード用コネクタ１の一部を拡大して示す詳細斜視図である。
【図５】同メモリーカード用コネクタ１の、シェル７を外した状態の平面図である。
【図６】同メモリーカード用コネクタ１の正面図において、メモリーカードの挿入範囲を示す説明図である。
【図７】同メモリーカード用コネクタ１に第１カード１４を挿入する使用状態における、平面図（Ａ）、側断面図（Ｂ）、図５におけるＸ−Ｘ線に沿った断面図（Ｃ）である。
【図８】同メモリーカード用コネクタ１に第１カード１４を挿入した使用状態を示す説明図である。
【図９】同メモリーカード用コネクタ１に第１カード１４を挿入した使用状態を示す説明図である。
【図１０】同メモリーカード用コネクタ１に第２カード１５を挿入する使用状態における、平面図（Ａ）、側断面図（Ｂ）、図５におけるＸ−Ｘ線に沿った断面図（Ｃ）である。
【図１１】同メモリーカード用コネクタ１に第２カード１５を挿入した使用状態を示す説明図である。
【図１２】同メモリーカード用コネクタ１に第２カード１５を挿入した使用状態を示す説明図である。
【図１３】第２実施例に係るメモリーカード用コネクタ１ａのシェル７を外した状態の平面図である。
【図１４】同メモリーカード用コネクタ１ａの斜視図である。
【図１５】同メモリーカード用コネクタ１ａにおけるカード押さえ板１６の平面図（Ａ）、正面図（Ｂ）、底面図（Ｃ）、側面図（Ｄ），（Ｅ）である。
【符号の説明】
【００３８】
１，１ａ      メモリーカード用コネクタ、
２            挿入口、
３            トーションバネ、
４、５        シャッター、                    ４ａ，５ａ      傾斜ガイド面、
４ｂ，５ｂ    カード押さえ面、                ４ｃ，５ｃ      軸部、
４ｄ，５ｄ    軸部、                          ４ｅ，５ｅ      突起部、  
６            絶縁ハウジング、                ６ａ            回転軸、
６ｂ          ガイド部、                      ６ｃ            側壁面、
６ｄ          後方底面、
７            シェル、                        ７ａ            天板、
８，９        コンタクト、
１０          イジェクトハウジング、
１１          イジェクトピン、
１２          イジェクト用バネ、
１３          イジェクトバー、                １３ａ          第１係合バー、
１３ｂ        第２係合バー、
１４          第１カード、
１５          第２カード、
１６          カード押さえ板、                １６ａ          底面、
１６ｂ        テーパ部、                      １６ｃ          軸受け部、
１７          トーションバネ。
【図１】
2006040664.tif 000003
【図２】
2006040664.tif 000004
【図３】
2006040664.tif 000005
【図４】
2006040664.tif 000006
【図５】
2006040664.tif 000007
【図６】
2006040664.tif 000008
【図７】
2006040664.tif 000009
【図８】
2006040664.tif 000010
【図９】
2006040664.tif 000011
【図１０】
2006040664.tif 000012
【図１１】
2006040664.tif 000013
【図１２】
2006040664.tif 000014
【図１３】
2006040664.tif 000015
【図１４】
2006040664.tif 000016
【図１５】
2006040664.tif 000017